(57)【特許請求の範囲】
【請求項１】
水平静磁場方式の横長筒状ガントリおよびそれに適合するアクティブシールド型傾斜磁場コイル装置を有する磁気共鳴イメージング装置において、上記アクティブシールド型傾斜磁場コイル装置（ＧＣ）は、上記水平磁場の方向、即ちＺ軸方向と直交する面の左右方向、即ちＸ軸をまたぐように対向して配設された一対のＸ方向傾斜磁場コイル（ＸＧＣ）、上記Ｚ軸方向と直交する面の上下方向、即ちＹ軸をまたぐように対向して配設された一対のＹ方向傾斜磁場コイル（ＹＧＣ）およびＺ軸に沿って巻かれたＺ方向傾斜磁場コイル（ＺＧＣ）から構成されており、かつ上記Ｘ，Ｙ，Ｚ各方向の傾斜磁場コイル（ＸＧＣ，ＹＧＣ，ＺＧＣ）のそれぞれは横長筒状ガントリの中央部の計測空間に近い側に配設されるＸ，Ｙ，Ｚ方向主傾斜磁場コイル（ＸＧＣｍ，ＹＧＣｍ，ＺＧＣｍ）と上記Ｘ，Ｙ，Ｚそれぞれの方向の主傾斜磁場コイル（ＸＧＣｍ，ＹＧＣｍ，ＺＧＣｍ）によって生成され上記計測空間の反対側の外側に漏洩する磁場をそれぞれシールドするＸ，Ｙ，Ｚ方向シールド傾斜磁場コイル（ＸＧＣｓ，ＹＧＣｓ，ＺＧＣｓ）から構成されており、さらに上記Ｘ方向主傾斜磁場コイル（ＸＧＣｍ）は上記横長筒状ガントリ内壁に最も接近して、かつ上記Ｘ方向シールド傾斜磁場コイル（ＸＧＣｓ）は上記横長筒状ガントリ内壁から最も遠く離れて配設されかつ上記Ｙ方向傾斜磁場コイル（ＹＧＣ）およびＺ方向傾斜磁場コイル（ＺＧＣ）はそれぞれ上記Ｘ方向主傾斜磁場コイル（ＸＧＣｍ）およびＸ方向シールド傾斜磁場コイル（ＸＧＣｓ）の間に配設されていることを特徴とする磁気共鳴イメージング装置。
【請求項２】
上記Ｙ方向主傾斜磁場コイル（ＹＧＣｍ）およびＹ方向シールド傾斜磁場コイル（ＹＧＣｓ）はそれぞれ上記Ｘ方向主傾斜磁場コイル（ＸＧＣｍ）およびＸ方向シールド傾斜磁場コイル（ＸＧＣｓ）に隣接して配設されかつ上記Ｚ方向主傾斜磁場コイル（ＺＧＣｍ）およびＺ方向シールド傾斜磁場コイル（ＺＧＣｓ）は上記Ｙ方向傾斜磁場コイル（ＹＧＣｍ）とＹ方向シールド傾斜磁場コイル（ＹＧＣｓ）との間に配設されていることを特徴とする請求項１に記載の磁気共鳴イメージング装置。
【請求項３】
上記Ｚ方向主傾斜磁場コイル（ＺＧＣｍ）およびＺ方向シールド傾斜磁場コイル（ＺＧＣｓ）はそれぞれ上記Ｘ方向主傾斜磁場コイル（ＸＧＣｍ）およびＸ方向シールド傾斜磁場コイル（ＸＧＣｓ）に隣接して配設されかつ上記Ｙ方向主傾斜磁場コイル（ＹＧＣｍ）およびＹ方向シールド傾斜磁場コイル（ＹＧＣｓ）は上記Ｚ方向傾斜磁場コイル（ＺＧＣｍ）とＺ方向シールド傾斜磁場コイル（ＺＧＣｓ）との間に配設されていることを特徴とする請求項１に記載の磁気共鳴イメージング装置。
【請求項４】
上記Ｚ方向主傾斜磁場コイル（ＺＧＣｍ）およびＹ方向シールド傾斜磁場コイル（ＹＧＣｓ）はそれぞれ上記Ｘ方向主傾斜磁場コイル（ＸＧＣｍ）およびＸ方向シールド傾斜磁場コイル（ＸＧＣｓ）に隣接して配設されかつ上記Ｙ方向主傾斜磁場コイル（ＹＧＣｍ）およびＺ方向シールド傾斜磁場コイル（ＺＧＣｓ）は上記Ｚ方向主傾斜磁場コイル（ＺＧＣｍ）とＹ方向シールド傾斜磁場コイル（ＹＧＣｓ）との間に配設されていることを特徴とする請求項１に記載の磁気共鳴イメージング装置。
【請求項５】
上記横長筒状ガントリのＸ方向内壁は略垂直な面に形成されていることを特徴とする請求項１乃至４のいずれか一項に記載の磁気共鳴イメージング装置。
【請求項６】
上記横長筒状ガントリのＸ方向の巾寸法は７０ｃｍより広いことを特徴とする請求項１乃至５のいずれか一項に記載の磁気共鳴イメージング装置。
【請求項７】
上記横長筒状ガントリの計測空間に被検者を載置して搬入するテーブルはＸ方向にも移動可能に構成されていることを特徴とする請求項１乃至６のいずれか一項に記載の磁気共鳴イメージング装置。
【請求項８】
第１の方向が静磁場方向となる計測空間内に主傾斜磁場を発生する主傾斜磁場コイルと、前記主傾斜磁場コイルによって前記計測空間と反対側に漏洩する磁場をキャンセルするためのシールド傾斜磁場コイルと、を有して成り、筒状に形成された傾斜磁場コイル装置であって、
前記主傾斜磁場コイルは、前記第１の方向に傾斜磁場を発生する第１の主傾斜磁場コイルと、第１の方向に垂直な第２の方向に主傾斜磁場を発生する第２の主傾斜磁場コイルと、前記第１の方向と前記第２の方向とに垂直な第３の方向に主傾斜磁場を発生する第３の主傾斜磁場コイルと、を有して成り、
前記シールド傾斜磁場コイルは、前記第１の主傾斜磁場コイルによって前記計測空間と反対側に漏洩する磁場をキャンセルするための第１のシールド傾斜磁場コイルと、前記第２の主傾斜磁場コイルによって前記計測空間と反対側に漏洩する磁場をキャンセルするための第２のシールド傾斜磁場コイルと、前記第３の主傾斜磁場コイルによって前記計測空間と反対側に漏洩する磁場をキャンセルするための第３のシールド傾斜磁場コイルと、を有して成り、
前記第２の主傾斜磁場コイルが前記計測空間に最も近い内側に配置され、前記第２のシールド傾斜磁場コイルが前記計測空間から最も遠い外側に配置されていることを特徴とする傾斜磁場コイル装置。
【請求項９】
請求項８記載の傾斜磁場コイル装置において、
前記主傾斜磁場コイルは、前記第２の方向の長さが前記第３の方向の長さより長いことを特徴とする傾斜磁場コイル装置。
【請求項１０】
請求項８又は９記載の傾斜磁場コイル装置を有することを特徴とする磁気共鳴イメージング装置。
【請求項１１】
請求項１０記載の磁気共鳴イメージング装置において、
前記計測空間に被検者を載置して搬入するテーブルを有して、該テーブルは前記第２の方向にも移動可能に構成されていることを特徴とする磁気共鳴イメージング装置。
【発明の詳細な説明】
【技術分野】
【０００１】
本発明は、水平静磁場方式の卵形、レーストラック形および長方形を含む楕円筒状ガントリおよびそれに適合するアクティブシールド型傾斜磁場コイル装置を有する磁気共鳴イメージング（以下ＭＲＩと称す）装置の改良に関する。
【背景技術】
【０００２】
水平静磁場方式の楕円筒状ガントリを有するＭＲＩ装置は、例えば、特許文献１、２、３、４等に開示されている。
【０００３】
これらＭＲＩ装置では、従来の円筒状のガントリを上下方向、即ちＹ軸方向に押し潰し楕円筒状とすることによって、傾斜磁場コイル装置中のＹ軸方向の対向する傾斜磁場コイル対を、ガントリ中の計測空間に挿入、載置される被検体に近接配置することによって、Ｙ軸方向傾斜磁場コイルによるＹ軸方向傾斜磁場強度を高め、ＭＲＩ像の解像度を向上するかあるいはＹ軸方向傾斜磁場コイルのインダクタンスを低減して、Ｙ軸方向傾斜磁場コイルに加えられるパルス電流のスイッチング速度を高めて高速パスシーケンスの撮像法への適用を容易にしている。
【０００４】
水平静磁場方式のＭＲＩ装置におけるアクティブシールド型傾斜磁場コイルは、各Ｘ，Ｙ，Ｚ方向傾斜磁場コイルを、Ｚ方向の均一静磁場計測空間に挿入、載置される被検体に近い側に配設され、かつその計測空間のそれぞれの方向に傾斜磁場を与える主傾斜磁場コイルと、各主傾斜磁場コイルによって生成されて計測空間と反対側に洩れる磁場をシールドするシールド傾斜磁場コイルから構成するものである。
【０００５】
特許文献３，４はアクティブシールド型傾斜磁場コイルについて言及はしているが、前者はＸ，Ｙ，Ｚ方向傾斜磁場コイルの個別の設計法を開示しているのみであり、Ｘ，Ｙ，Ｚ方向傾斜磁場コイル全体としての総合配置については言及していない。また後者は、横方向傾斜磁場を担う第１および第２の傾斜磁場コイルをそれぞれ第１および第２の主傾斜磁場コイルおよび第１および第２のシールド傾斜磁場コイルから構成し、第１および第２の主傾斜磁場コイルは被検体に近接した楕円筒面上に、第１および第２のシールド傾斜磁場コイルは楕円筒面の外側の円筒面上に互いにオーバーラップすることなく配設することを開示している。
【０００６】
特許文献５は水平静磁場方式の円筒状ガントリを有するＭＲＩ装置のアクティブシールド型傾斜磁場コイル装置を開示しており、ここではＸ，Ｙ，Ｚ方向傾斜磁場コイルのそれぞれの主傾斜磁場コイルおよびシールド傾斜磁場コイルは計測空間に一番近い内側から外側に向ってＸ方向主傾斜磁場コイル、Ｚ方向主傾斜磁場コイル、Ｙ方向主傾斜磁場コイル、Ｘ方向シールド傾斜磁場コイル、Ｚ方向シールド傾斜磁場コイル、Ｙ方向シールド傾斜磁場コイルと主傾斜磁場コイルとシールド傾斜磁場コイルは方向に関して同じ順序で配設されている。
【０００７】
このような円形断面の傾斜磁場コイルでは、同一形状のＸ，Ｙ方向主およびシールド傾斜磁場コイルの使用を可能とするため、少なくともＸ方向主およびシールド傾斜磁場コイル間の間隔とＹ方向主およびシールド傾斜磁場コイル間の間隔を同一にすることが必要であった。もし、これが異なると、両方向の傾斜磁場コイルによる磁場バランスが崩れ、傾斜磁場コイルの外部への漏洩磁場が増加し、その結果傾斜磁場コイルの周囲にある超電導磁石のクライオスタット等の電気導体に誘起される渦電流が増加し、ＭＲＩ像の画質を劣化する原因として働くことになる。
【０００８】
一方、これら従来装置の多くでは、計測空間を取り囲むガントリカバーの左右方向、即ちＸ方向の内径は６０ｃｍ程度であり、この程度の内径では大人の被検体ではほとんど左右に移動するスペースが無いほどの狭さである。このため被検者は閉塞感を受けるし、ガントリ外部から検者が内部の被検者にアクセスすることも実質的に不可能であった。
【特許文献１】特開平２−１２３８号公報
【特許文献２】特開平５−２６９１００号公報
【特許文献３】特開２００１−３２７４７８号公報
【特許文献４】特開２００１−１１２７３７号公報
【特許文献５】特開平１１−２３９５６９号公報
【発明の開示】
【発明が解決しようとする課題】
【０００９】
本発明の目的は、計測空間を取り囲むガントリカバーの左右方向、即ちＸ方向の内径の巾を広げて開放性およびアクセス性を向上させると共にガントリカバーの左右方向、即ちＸ方向の内径の巾を広げたことによるＸ方向をまたぐように配設されるＸ方向主およびシールド傾斜磁場コイルから構成されるＸ方向傾斜磁場コイルの磁場発生効率の低下を抑制した水平静磁場方式の楕円筒状ガントリおよびこれに適合するアクティブシールド型傾斜磁場コイル装置を有するＭＲＩ装置を提供することである。
【課題を解決するための手段】
【００１０】
本発明は、水平静磁場方式の楕円筒状ガントリおよびそれに適合するアクティブシールド型傾斜磁場コイル装置を有するＭＲＩ装置において、楕円筒状ガントリの巾の広い左右方向の即ちＸ方向をまたいで配設されるＸ方向傾斜磁場コイルの主傾斜磁場コイルを楕円筒状ガントリ内壁に最も接近して、かつそのシールド傾斜磁場コイルを楕円筒状ガントリ内壁から最も遠く離れて配設し、さらに楕円筒状ガントリの巾の狭い上下方向即ちＹ方向をまたいで配設されるＹ方向傾斜磁場コイルの主およびシールド傾斜磁場コイルはそれぞれＸ方向主およびシールド傾斜磁場コイルに隣接して配設することを特徴とする。
【発明の効果】
【００１１】
本発明によれば、ガントリカバーの内径の横方向の巾、即ち、左右方向のガントリカバーの間隔を従来装置の６０ｃｍ程度より広く、例えば、７０〜９０ｃｍと広げることにより、被検者の左右方向への移動が可能となると共に、開放性およびアクセス性が向上する。また、ガントリーの横方向の巾を広げたことによる傾斜磁場コイル装置の、特にＸ方向傾斜磁場コイルの磁場発生効率の低下が、Ｘ，Ｙ，Ｚ方向傾斜磁場コイルの配設構造の改良によって抑制される。
【発明を実施するための最良の形態】
【００１２】
以下、本発明の実施例を図面を参照して説明する。
【実施例１】
【００１３】
図１は本発明水平磁場方式の楕円、レーストラック形および長方形を含む横長筒状（以下、まとめて楕円筒状と記載する）のガントリおよびそれに適合するアクティブシールド型傾斜磁場コイル装置を有するＭＲＩ装置の一実施例を説明するためのガントリ部の断面図である。
【００１４】
図１では、超電導磁石の内壁のみが示されている。この筒状の超電導磁石により、ガントリ中央に軸方向、即ちＺ軸方向の静磁場を発生する。この超電導磁石は、静磁場発生のための超電導コイル、冷却容器、冷凍機等から構成される。超電導磁石内壁の内側にはアクティブシールド型傾斜磁場コイル装置（ＧＣ）、ＲＦコイル、ガントリカバーが配置されるが、ＲＦコイルの図示は省略されている。また、ＲＦシールド、ケーブル、配管類等の図示も省略されている。本実施例ではガントリカバーの横方向、即ちＸ方向の巾が約７０〜９０ｃｍに広げられている。
【００１５】
図２は図１中のアクティブシールド型傾斜磁場コイル装置（ＧＣ）中の各コイルの配設構造を説明するための図である。
【００１６】
本発明のアクティブシールド型傾斜磁場コイル装置（ＧＣ）は、Ｘ軸をまたぐように対向して配設された一対のＸ方向傾斜磁場コイル（ＸＧＣ）、Ｙ軸をまたぐように対向して配設された一対のＹ方向傾斜磁場コイル（ＹＧＣ）およびＺ軸に沿ってソレノイド状に巻かれたＺ方向傾斜磁場コイル（ＺＧＣ）から構成されており、かつＸ，Ｙ，Ｚ各方向の傾斜磁場コイル（ＸＧＣ，ＹＧＣ，ＺＧＣ）のそれぞれは、計測空間に近い側に配設されるＸ，Ｙ，Ｚ方向主傾斜磁場コイル（ＸＧＣｍ、ＹＧＣｍ、ＺＧＣｍ）とＸ，Ｙ，Ｚそれぞれの方向の主傾斜磁場コイル（ＸＧＣｍ、ＹＧＣｍ、ＺＧＣｍ）によって生成されて計測空間の反対側の外側に漏洩する磁場をそれぞれシールドするＸ，Ｙ，Ｚ方向シールド傾斜磁場コイルＸＧＣｓ、ＹＧＣｓ、ＺＧＣｓ）から構成されている。
【００１７】
さらに、楕円筒状ガントリの巾を広げられた長軸側、即ち、Ｘ軸側に配設されるＸ方向主傾斜磁場コイル（ＸＧＣｍ）は、短軸側、即ち、Ｙ軸側に配設されるＹ方向主傾斜磁場（ＹＧＣｍ）に比べて、楕円筒状ガントリの中心、即ち、Ｚ軸までの距離が長いため、磁場発生効率が低い。従って、本発明では、このＸ方向主傾斜磁場コイル（ＸＧＣｍ）をガントリカバーに最も近い位置に配設すると共にＸ方向主傾斜磁場コイル（ＸＧＣｍ）によって生成されて計測空間の反対側の外側に漏洩する磁場を最も効率良くシールドするためＸ方向シールド傾斜磁場コイル（ＸＧＣｓ）はガントリカバーから最も遠い位置に配設し、全体としてＸ方向傾斜磁場コイル（ＸＧＣ）による磁場発生効率の低下を抑制している。
【００１８】
楕円筒状ガントリの中心、即ち、Ｚ軸までの距離が近いＹ方向主傾斜磁場コイル（ＹＧＣｍ）はＸ方向主傾斜磁場コイル（ＸＧＣｍ）に隣接してその外周側に、そしてＹ方向シールド傾斜磁場コイル（ＹＧＣｓ）はＸ方向シールド傾斜磁場コイル（ＸＧＣｓ）に隣接してその内周側に配設される。
【００１９】
Ｚ方向傾斜磁場コイル（ＺＧＣ）は傾斜磁場方向とコイル配列とが効率の良い関係にあるので、Ｘ，Ｙ方向傾斜磁場コイル（ＸＧＣ，ＹＧＣ）に比較すると主傾斜磁場コイルとシールド傾斜磁場コイルとの間隔が狭くても問題が生じにくいので、Ｚ方向主傾斜磁場コイル（ＺＧＣｍ）はＹ方向主傾斜磁場コイル（ＹＧＣｍ）に隣接してその外周側に、そしてＺ方向シールド傾斜磁場コイル（ＺＧＣｓ）はＹ方向シールド傾斜磁場コイル（ＹＧＣｓ）に隣接してその内周側に配設され、結果的には両者はＹ方向主傾斜磁場コイル（ＹＧＣｍ）とＹ方向シールド傾斜磁場コイル（ＹＧＣｓ）の間に隣接して配設される。
【００２０】
従って、それぞれの傾斜磁場コイルは、傾斜磁場コイル装置中で、ガントリカバーから外周方向に向って、Ｘ方向主傾斜磁場コイル（ＸＧＣｍ）、Ｙ方向主傾斜磁場磁場コイル（ＹＧＣｍ）、Ｚ方向主傾斜磁場コイル（ＺＧＣｍ）、Ｚ方向シールド傾斜磁場コイル（ＺＧＣｓ）、Ｙ方向シールド傾斜磁場コイル（ＹＧＣｓ）、Ｘ方向シールド傾斜磁場コイル（ＸＧＣｓ）の順に配設される。
【００２１】
このように、それぞれの傾斜磁場コイル（ＸＧＣｍ，ＸＧＣｓ，ＹＧＣｍ，ＹＧＣｓ，ＺＧＣｍ，ＺＧＣｓ））を配設することによって各方向について同等の傾斜磁場強度を発生することが出来、ＭＲＩ装置に求められている任意方向の断面について均質な画像の撮影を可能とする。
【００２２】
なお、Ｚ方向傾斜磁場コイル（ＺＧＣ）は、高い磁場発生効率で設計することが出来るので、上記のように配設することが、傾斜磁場コイル（ＧＣ）駆動上合理的である。
【００２３】
しかし、傾斜磁場コイル（ＧＣ）全体としての発熱を抑制するため、Ｚ方向傾斜磁場コイル（ＺＧＣ）を中空導体で構成し、これに冷却水を流す場合には、Ｚ方向傾斜磁場コイル（ＺＧＣ）をＸ方向傾斜磁場コイル（ＸＧＣ）とＹ方向傾斜磁場コイル（ＹＧＣ）の間に配設することで、即ちＺ方向主傾斜磁場コイル（ＺＧＣｍ）をＸ方向主傾斜磁場コイル（ＸＧＣｍ）とＹ方向主傾斜磁場コイル（ＹＧＣｍ）との間に、Ｚ方向シールド傾斜磁場コイル（ＺＧＣｓ）をＹ方向シールド傾斜磁場コイル（ＹＧＣｓ）とＸ方向シールド傾斜磁場コイル（ＸＧＣｓ）との間に配設することによって、全傾斜磁場コイル（ＧＣ）の冷却効率を向上することが出来る。
【００２４】
また、シールド傾斜磁場コイル（ＸＧＣｓ，ＹＧＣｓ，ＺＧＣｓ）は主傾斜磁場コイル（ＸＧＣｍ，ＹＧＣｍ，ＺＧＣｍ）に比較して電流密度が低いため、発電量も相対的に低く、従って、シールド傾斜磁場コイル（ＸＧＣｓ，ＹＧＣｓ，ＺＧＣｓ）に対する冷却要求は、主傾斜磁場コイル（ＸＧＣｍ，ＹＧＣｍ，ＺＧＣｍ）に比較して緩和されるので、上記の変形例におけるＹ方向シールド傾斜磁場コイル（ＹＧＣｓ）と水冷中空導体のＺ方向シールド傾斜磁場コイル（ＺＧＣｓ）の配置を入れ替えても、ガントリの寸法および形状によっては、十分に冷却効果が維持出来る。
【００２５】
なお、また、本実施例では、傾斜磁場コイル装置（ＧＣ）の外部形状は、ほぼ磁石内壁形状に相似とし、内部形状はガントリカバー形状に相似としているので、それぞれの主傾斜磁場コイル（ＸＧＣｍ，ＹＧＣｍ，ＺＧＣｍ）とシールド傾斜磁場コイル（ＸＧＣｓ，ＹＧＣｓ，ＺＧＣｓ）との距離を広げることが出来るので、傾斜磁場コイル装置（ＧＣ）全体としての磁場発生効率をさらに高めることが出来る。
【実施例２】
【００２６】
図３は、本発明水平磁場方式の楕円筒状ガントリおよびそれに適合するアクティブシールド型傾斜磁場コイル装置を有するＭＲＩ装置のもう一つの実施例を説明するためのガントリ部の断面図である。
【００２７】
本実施例では、傾斜磁場コイル装置（ＧＣ）の磁場発生効率をさらに向上させるため、被検者を受け入れる空間としてはあまり寄与しない楕円筒状ガントリの横方向端部曲面内壁をカットして略平坦としたものである。これにより、Ｘ方向主傾斜磁場コイル（ＸＧＣｍ）から楕円筒状ガントリの中心までの距離が実質的に短く出来るので、Ｘ方向主傾斜磁場コイル（ＸＧＣｍ）の磁場発生効率が向上する。Ｙ方向およびＺ方向主傾斜磁場コイル（ＹＧＣｍ、ＺＧＣｍ）についても楕円筒状ガントリの中心までの距離が局部的に短くなるので、程度の差はあるが同様に磁場発生効率が向上する。
【実施例３】
【００２８】
図４は本発明水平磁場方式の楕円筒状ガントリおよびそれに適合するアクティブシールド型傾斜磁場コイル装置を有するＭＲＩ装置のさらにもう一つの実施例を説明するためのガントリ部の断面図である。
【００２９】
図４に示すように、本実施例によれば、ガントリカバー内周の横方向巾を広く取ることにより、テーブルを左右に移動することが可能となる。この結果、披検体の撮影したい部位を磁場中心に配置することが可能となるので、良好な画像を取得できる。また、一方向にスペースを取ることができるので、ガントリ外部から被検者にアクセスすることが可能となる。この結果、被検者に安心感を与えること、バイオプシ等の手技を実施すること等が可能となる。  
【００３０】
傾斜磁場コイル装置（ＧＣ）とガントリカバーとの間には、通常、照射コイルを配置する。このため、被検者空間としてできるだけ広い空間を確保するためには、ガントリカバーの形状は基本的に照射コイルの内側形状に、略相似の形状となる。或いは、照射コイルを送受兼用コイルとし、ガントリカバーの内方側に配置する場合には、ガントリカバーの形状は基本的に傾斜磁場コイル装置（ＧＣ）の内側形状に、略相似の形状とできるので、さらに横方向の開放空間を広げることが可能となる。
【００３１】
また、実施例２，３ではガントリの側面の壁は鉛直としたが、必ずしも側面の壁は鉛直である必要は無く、大きな曲率を持った形状でも良い。
【図面の簡単な説明】
【００３２】
【図１】本発明水平磁場方式の楕円筒状ガントリおよびそれに適合するアクティブシールド型傾斜磁場コイル装置を有するＭＲＩ装置の一実施例を説明するためのガントリ部の断面図である。
【図２】図１中のアクティブシールド型傾斜磁場コイル装置中の各コイルの配設構造を説明するための図。
【図３】本発明水平磁場方式の楕円筒状ガントリおよびそれに適合するアクティブシールド型傾斜磁場コイル装置を有するＭＲＩ装置のもう一つの実施例を説明するためのガントリ部の断面図である。
【図４】本発明水平磁場方式の楕円筒状ガントリおよびそれに適合するアクティブシールド型傾斜磁場コイル装置を有するＭＲＩ装置のさらにもう一つの実施例を説明するためのガントリ部の断面図である。
【図２】
0004789254.tif 000002
【図１】
0004789254.tif 000003
【図３】
0004789254.tif 000004
【図４】
0004789254.tif 000005